(57)【要約】【課題】    月桃の抗菌作用を十分に発揮できる月桃パルプの製造方法及びその装置を提供することを目的とする。【解決手段】    生月桃の葉及び茎を水洗するための洗浄工程と、洗浄後の月桃の葉及び茎を細かく破砕するための破砕処理工程と、破砕物の水分を除去するための下流側が絞られたスクリューコンベアによる脱水処理工程と、脱水処理物を２枚の磨砕板の間で磨り潰して組織破砕するための組織破砕処理工程とからなることを特徴とする月桃パルプの製造方法である。【選択図】  図１
2006045707.tif 000002
【特許請求の範囲】
【請求項１】
生月桃の葉及び茎及び根を水洗するための洗浄工程と、洗浄後の月桃の葉及び茎及び根を細かく破砕するための破砕処理工程と、破砕物の水分を除去するための脱水処理工程と、脱水処理物を磨り潰して組織破砕するための組織破砕処理工程とからなることを特徴とする月桃パルプの製造方法。
【請求項２】
前記の脱水処理工程において、上流側より下流側が絞られたスクリューコンベアにより圧搾し、該スクリューコンベアのケーシングが透水性を有する構造となっており、脱水処理されることを特徴とする請求項１に記載の月桃パルプの製造方法。
【請求項３】
前記の組織破砕処理工程において、前記のスクリューコンベアにより圧送される脱水処理物を片方又は両方が回転し、破砕刃を有する２枚の円板の間で磨り潰すことを特徴とする請求項１又は請求項２に記載の月桃パルプの製造方法。
【請求項４】
生月桃の葉及び茎及び根を水洗するための洗浄装置と、洗浄後の月桃の葉及び茎及び根を細かく破砕するための破砕処理装置と、破砕物を圧搾して水分を除去しながら、破砕物を磨り潰して組織破砕するための圧搾脱水磨砕処理装置とで構成される月桃パルプの製造装置。
【請求項５】
前記の圧搾脱水磨砕処理装置において、上流側より下流側が絞られたメッシュケーシングを有するスクリューコンベアによる圧搾脱水処理部が設けられていることを特徴とする請求項４に記載の月桃パルプの製造装置。
【請求項６】
前記のスクリューコンベアにおいて、その下流側先端部のスクリュー軸に押圧力を高めるための補助羽根が複数設けられていることを特徴とする請求項５に記載の月桃パルプの製造装置。
【請求項７】
前記の圧搾脱水磨砕処理装置において、破砕刃を有する２枚の磨砕板の間に破砕物を挟んで磨り潰す磨砕処理部が設けられていることを特徴とする請求項４から請求項６までのいずれかの項に記載の月桃パルプの製造装置。
【請求項８】
前記の２枚の磨砕板の中の１枚が固定され、他の１枚が回転し、固定磨砕板は、その中心部がくり貫かれており、その貫通部から前記のスクリューコンベアにより圧搾された破砕物を２枚の磨砕板の間に送り込み、回転磨砕板の回転により磨り潰されて周囲より月桃の繊維が排出される磨砕処理部が設けられていることを特徴とする請求項７に記載の月桃パルプの製造装置。
【請求項９】
前記の２枚の磨砕板の一方の磨砕面が凸形状となっており、他方はその突形状に適合した凹形状となっていることを特徴とする請求項７又は請求項８の項に記載の月桃パルプの製造装置。
【請求項１０】
木材パルプに、前記の請求項１から請求項３までに記載の製造方法により製造された月桃パルプ及び請求項４から請求項９までに記載の製造装置で製造された月桃パルプを７％以上混合して製造され、抗菌性を有していることを特徴とする月桃パルプ紙。
【発明の詳細な説明】
【技術分野】
【０００１】
本発明は、非木材パルプの製造方法及びその装置に関し、特に生月桃を用いた抗菌性を有する月桃パルプの製造方法及びその装置に関する。
【背景技術】
【０００２】
近年、森林伐採などや環境保護の問題から木材パルプに代わる非木材パルプが注目されている。
【０００３】
主な非木材パルプの原料としては、亜麻、コットン、ケナフ、竹、バガス、緑藻・海草、コウゾ・ミツマタ・雁皮、トウモロコシマイスなどが用いられている。
【０００４】
木材パルプに対して非木材パルプは、全世界でも７％、日本では、わずかに０．０４％の生産量となっているのが現状です。
【０００５】
特に、ケナフやバガスについては、その生産量も多く、ケナフパルプやバガスパルプの製造方法が開発されている。
【０００６】
これらの非木材パルプの製造方法に関しては、特許登録第３２３９１２５号公報や特許登録第３４０１６７４号公報、特許登録第３４６７７５４号公報などに示されるように、繊維間を結合しているリグニンを薬剤により溶かして繊維を抽出する化学パルプを製造する方法である。
【０００７】
また、ケナフパルプの製造方法として、特許登録第２９６００６３号公報などが開示されている。
【０００８】
これは、ケナフに茎、芯、皮、根などをチップ化し、水とともに粉砕し、水煮し、水洗し、繊維を取り出すものである。
【０００９】
近年、沖縄県では、月桃を用いた月桃紙も製造されるようになってきた。
【００１０】
この月桃紙は、月桃の花のイメージに合っており、従来の木材パルプを用いた紙とは違った独特の風合いのやわらかい紙となり人気を呼んでいる。
【００１１】
また、月桃には防カビ、防虫などの抗菌効果が知られており、機能的にも優れた紙となるとして注目されている。
【特許文献１】登録第３２３９１２５号公報
【特許文献２】登録第３４０１６７４号公報
【特許文献３】登録第３４６７７５４号公報
【特許文献４】登録第２９６００６３号公報
【発明の開示】
【発明が解決しようとする課題】
【００１２】
しかしながら、前記に示す月桃紙は、ほとんど抗菌効果が発揮されていないという問題があった。
【００１３】
これは、その月桃パルプの製造において、従来の薬剤による繊維の抽出が行われていたため、薬剤により、抗菌物質も洗い流されてしまい、せっかくの抗菌作用はまったく発揮されないというのが現状であった。
【００１４】
本発明は、この問題に着目し、月桃の抗菌作用を十分に発揮できる月桃パルプの製造方法及びその装置を提供することを目的とする。
【課題を解決するための手段】
【００１５】
本発明は、上記の課題を以下の手段により解決することができる。
【００１６】
請求項１では、生月桃の葉及び茎及び根を水洗するための洗浄工程と、洗浄後の月桃の葉及び茎及び根を細かく破砕するための破砕処理工程と、破砕物の水分を除去するための脱水処理工程と、脱水処理物を磨り潰して組織破砕するための組織破砕処理工程とからなることを特徴とする月桃パルプの製造方法である。
【００１７】
月桃は、ショウガ科ハナミョウガ属の多年草植物で、九州南端から沖縄、台湾を経てインドまで広く分布して植物であり、月桃が繁茂しているところには雑草が生えにくい。
【００１８】
月桃の葉を体にこすりつけると虫に刺されにくい。
【００１９】
すり傷に月桃の汁を塗ると治りやすい。
【００２０】
タンスに月桃の葉を入れて防虫剤の代わりにする。
【００２１】
月桃の葉のエキスでゴキブリなどの害虫を駆除する。
【００２２】
さらには、実のつかないパパイヤの周囲に月桃を植えたら実をつけたなど、さまざまな活用例が報告されています。
【００２３】
また、月桃の葉や実から作ったお茶には鎮静効果があるとされています（参考文献「原色牧野和漢薬大図鑑」、「沖縄の薬草百科」）。
【００２４】
この月桃の葉及び茎及び根の部分を採取して生月桃として使用することができる。
【００２５】
該洗浄工程は、生月桃の葉や茎及び根の汚れを除去するために行われるものであり、水道水などをシャワーして軽く洗い流すものでも良い。
【００２６】
該破砕処理工程は、洗浄後の月桃の葉及び茎及び根を細かく破砕することができる処理であればいずれでもよく、たとえば、高速チョッパー装置などで１ｃｍ程度に細かく切断したものでも良い。
【００２７】
該脱水処理工程は、前記の月桃の破砕物から搾汁などによる水分を除去できるものであればいずれでも良く、圧搾装置などで搾汁しても良い。
【００２８】
月桃は、繊維質が約４０％であり、残りは搾汁として分離する必要がある。
【００２９】
該組織破砕処理工程は、脱水処理物を磨り潰して組織破砕できる処理であればいずれでも良く、薬剤による溶解処理ではなく、磨砕による機械処理である。
【００３０】
たとえば、石臼などのように、２枚の板の間に挟んで細断脱水処理された破砕物を磨り潰すものなどが良い。
【００３１】
ミキサーなどのように破砕して繊維をほぐすようにしてもよいが、繊維が細かく切断され、強度が低下する。
【００３２】
請求項２は、前記の脱水処理工程において、上流側より下流側が絞られたスクリューコンベアにより圧搾し、該スクリューコンベアのケーシングが透水性を有する構造となっており、脱水処理されることを特徴とする月桃パルプの製造方法である。
【００３３】
該スクリューコンベアは、円筒状のケーシング内に回転駆動するスクリューが内設されたものであり、ケーシングの上流側に設けられたホッパーから投入された破砕物を脱水処理しながら圧送できるものであればいずれでも良い。
【００３４】
また、該ケーシングは、透水性を有するパンチングメタルなどを使用したメッシュケーシングなどが使用でき、上流側より下流側の径が徐々に小さくなる形状とし、スクリューもケーシングに対応して先端側の径が徐々に小さくなるようにする。
【００３５】
このような構造とすると、スクリューの圧送により、生月桃の破砕物が搾汁され、月桃エキス部分はメッシュケーシングより外部に排出され、十分に脱水された破砕物が次の組織破砕処理工程へと送られる。
【００３６】
請求項３は、前記の組織破砕処理工程において、前記のスクリューコンベアにより圧送される脱水処理物を片方又は両方が回転し、破砕刃を有する２枚の円板の間で磨り潰すことを特徴とする月桃パルプの製造方法である。
【００３７】
該２枚の円板は、相対する面に破砕刃が設けられている。
【００３８】
この破砕刃は、たとえば、円板の表面に複数の溝を掘り、円板の表面とその溝の側面との角部が刃部となり、２枚の円板の間に挟んだ脱水処理物が互いの刃部により、磨り潰されながら月桃の繊維が細かく組織破砕されるものでも良く、溝に変えて突出刃でも良い。
【００３９】
請求項４は、生月桃の葉及び茎及び根を水洗するための洗浄装置と、洗浄後の月桃の葉及び茎及び根を細かく破砕するための破砕処理装置と、破砕物を圧搾して水分を除去しながら、破砕物を磨り潰して組織破砕するための圧搾脱水磨砕処理装置とで構成される月桃パルプの製造装置である。
【００４０】
該洗浄装置は、生月桃の葉及び茎及び根を水で洗浄できる装置であればいずれでも良く、たとえば、生月桃の茎及び葉及び根をベルトコンベアで移送し、上部より水噴射により洗浄するものでも良い。
【００４１】
該破砕処理装置は、洗浄後の生月桃を細かく破砕できるものであればいずれでも良く、たとえば、高速チョッパー装置のように、短くカットできるものでも良い。
【００４２】
破砕サイズは、１ｃｍ以下が好ましい。
【００４３】
該圧搾脱水磨砕処理装置は、破砕物を圧搾して水分を除去しながら、さらに脱水処理物を磨砕処理して組織を破砕して繊維を分解させるものである。
【００４４】
請求項５は、前記の圧搾脱水磨砕処理装置において、上流側より下流側が絞られたメッシュケーシングを有するスクリューコンベアによる圧搾脱水処理部が設けられていることを特徴とする月桃パルプの製造装置である。
【００４５】
該スクリューコンベアは、下流側の径が上流側より小さく絞られて形成されたメッシュケーシングと、該メッシュケーシングに対応して下流側が細くなっているスクリューが設けられている。
【００４６】
この構成により、ケーシングの上流側に投入された月桃破砕物は、スクリューの回転により下流側に移送されて行き、ケーシングの径が徐々に小さくなるにつれて、圧力が高まり、月桃破砕物が圧搾されて月桃搾汁液がケーシングのメッシュ部より外部に排出され、脱水しながら移送される。
【００４７】
請求項６は、前記のスクリューコンベアにおいて、その下流側先端部のスクリュー軸に押圧力を高めるための補助羽根が複数設けられていることを特徴とする月桃パルプの製造装置である。
【００４８】
該補助羽根は、スクリュー軸の下流側先端部に配置され、スクリューの押圧力を高める機能を有する短い羽根であれば、いずれでも良く、例えば本体スクリュー羽根と同様の曲面を有する短羽根などでも良く、本体スクリュー羽根の取り付け位置と重ならないように、対照的に複数配置すると良い。
【００４９】
請求項７は、上記の圧搾脱水磨砕処理装置において、破砕刃を有する２枚の磨砕板の間に破砕物を挟んで磨り潰すことを特徴とする磨砕処理部が設けられていることを特徴とする月桃パルプの製造装置である。
【００５０】
該磨砕板は、相対する面に破砕刃が設けられており、磨砕板で月桃破砕物を挟んで摺動させることにより、破砕刃で磨り潰されて組織破砕され、細かな繊維となる。
【００５１】
請求項８は、前記の２枚の磨砕板の中の１枚が固定され、他の１枚が回転し、固定磨砕板は、その中心部がくり貫かれており、その貫通部から前記のスクリューコンベアにより圧搾された破砕物を２枚の磨砕板の間に送り込み、回転磨砕板の回転により磨り潰されて周囲より月桃の繊維が排出される磨砕処理部が設けられていることを特徴とする月桃パルプの製造装置である。
【００５２】
該２枚の磨砕板の間隔は、中心部が１０〜２０ｍｍであり、徐々に狭くなり、外周部では０．５〜２．０ｍｍ程度が好ましい。
【００５３】
間隔が狭いほど出てくる繊維も細かくなる。
【００５４】
請求項９は、前記の２枚の磨砕板の一方の磨砕面が凸形状となっており、他方はその突形状に適合した凹形状となっていることを特徴とする月桃パルプの製造装置である。
【００５５】
該凸形状は、半球状や円錐状などでも良い。
【００５６】
磨砕面が凸状となると、磨砕面の中心部に供給された脱水処理物は、中心部から外周部に磨砕されながら移動するが、中心部では粗く、外周部側ではより細かく磨砕できる。
【００５７】
磨砕面が傾斜状となるので、脱水された月桃破砕物を押圧する力を軽減でき、スクリューコンベアの負荷を抑えることができ、スムーズに磨り潰すことができる。
【００５８】
また、磨砕面が広くなり、磨砕処理量を増大できる。
【００５９】
請求項１０は、木材パルプに、前記の製造方法により製造された月桃パルプ及び前記の製造装置で製造された月桃パルプを７％以上混合して製造され、抗菌性を有していることを特徴とする月桃パルプである。
【００６０】
木材パルプに対して月桃パルプを７％以上混合することで抗菌性を発揮できる月桃紙となる。
【００６１】
７％以下では抗菌性を期待できない。
【発明の効果】
【００６２】
本発明では、以下の効果を奏する。
【００６３】
１）化学薬剤をまったく使用せずに月桃パルプを製造することができる。
【００６４】
２）薬剤の排水による環境汚染の問題がない。
【００６５】
３）繊維抽出処理工程において、水洗処理や水煮処理の必要がないので、月桃の有する抗菌作用を十分に発揮することができる。
【００６６】
４）機械的処理によるパルプ化であるため、コストを大幅に低減できる。
【００６７】
５）上流側より下流側が絞られたメッシュケーシングとスクリューとによるスクリューコンベアにより、連続的に圧搾処理ができ、また、次の磨砕処理部に脱水破砕物を圧送することができる。
【００６８】
６）スクリューの下流側先端部に補助羽根を設けると、２枚の磨砕板の間へ脱水処理物を確実に送り込むことができ、その押圧力が一定に保たれ、品質の安定した磨砕処理が行える。
【００６９】
７）一方の磨砕板の中心貫通部に脱水破砕物を押圧できるので、２枚の磨砕板の間で破砕刃で磨り潰されて、周囲に排出でき、連続的に磨砕処理ができる。
【００７０】
８）２枚の磨砕板の一方が凸形状であり、他方がその凸形状に適合した凹状の嵌め合わせ形状となっているので、磨砕面が傾斜面となり、磨砕処理の負荷が減少し、スムーズに磨砕処理が行え、また、処理面を広く取れ、処理量を増やすことができる。
【００７１】
９）木材パルプに月桃パルプを７％以上混合して使用することで、抗菌性を有する紙を製造でき、また、木材パルプの資源保護となり、また、非木材パルプとしての月桃パルプのコストを抑えることができる。
【発明を実施するための最良の形態】
【００７２】
本発明の一実施例について図面を用いて説明する。
【００７３】
図１は、本発明による月桃パルプの製造工程を示すフロー図である。
【００７４】
以下にその製造工程について説明する。
【００７５】
Ｓ−１）月桃採取工程生月桃の葉及び茎及び根を採取する。
【００７６】
Ｓ−２）洗浄工程水道水でシャワー洗浄する。
【００７７】
Ｓ−３）破砕処理工程高速カッターで１ｃｍ以下に細かく切断し、破砕する。
【００７８】
Ｓ−４）脱水処理工程破砕物を圧搾して水分を分離する。
【００７９】
分離した月桃エキスは、乾燥して粉末処理し、消臭剤や抗菌剤の原料とする。
【００８０】
Ｓ−５）磨砕処理工程脱水した破砕物を石臼の原理で磨り潰して、組織破砕し、繊維状にする。
【００８１】
Ｓ−６）乾燥処理工程月桃の繊維を温風乾燥し、月桃パルプとなる。
【００８２】
以上のようにして製造する月桃パルプは、製造工程において、まったく化学薬品を使用しておらず、また、繊維の取り出し後に洗浄を行っていないので、月桃が本来含有している抗菌物質が分離、あるいは洗い流されてしまうことがなく、そのまま月桃パルプに含有しているため、この月桃パルプを用いて紙類を製造すると、十分な抗菌作用を発揮することができる。
【００８３】
また、月桃独特に香もほのかに残すことができる。
【００８４】
従来より、月桃紙が製造されていたが、薬剤により繊維化処理を行っていたためにその薬剤とともに洗浄時に抗菌物質も洗い流されてしまい、まったく抗菌作用を発揮できないものであった。
【００８５】
また、従来の木材パルプの機械パルプの製造方法では、チップを１２０℃程度の高温処理するため、抗菌物質が変化してしまい、抗菌効果は期待できない。
【００８６】
また、非木材パルプの製造方法のひとつとして、ケナフなどで一部に機械化パルプ処理が行われているが、この場合には、チップを水とともに粉砕処理し、さらに水煮を行うことで繊維化している。
【００８７】
この方法を月桃に適用した場合においては、水煮後洗い流す必要があり、このときに抗菌物質が洗い流されてしまうので、抗菌作用は期待できない。
【００８８】
次に本発明による月桃パルプの製造装置について、その一実施例について説明する。
【００８９】
図２は、本発明による月桃パルプの製造装置の概略構成を示す図である。
【００９０】
本装置は、生月桃を洗浄するための洗浄装置１と、洗浄した生月桃を破砕するための破砕処理装置２と、月桃破砕物を脱水し月桃の搾汁を分離し、さらに磨砕して繊維を取り出すための脱水磨砕処理装置３とで構成される。
【００９１】
該洗浄装置１は、採取した生月桃の葉と茎を、水道水で噴射洗浄し汚れを洗い流すものであり、ベルトコンベア上の月桃を上部から水道水を噴射して洗浄するものである。
【００９２】
該破砕処理装置２は、洗浄した月桃を１ｃｍ以下に細かく切断して破砕するものであり、高速チョッパー装置などを使用することができる。
【００９３】
該脱水磨砕処理装置３は、前記の月桃破砕物を圧搾脱水するためのスクリューコンベア部４と、該スクリューコンベア部の上流側に前記の月桃破砕物を投入するためのホッパー５と、脱水した月桃搾汁６ａを貯留する搾汁液タンク６と、脱水された破砕物を磨り潰す磨砕処理部７と、磨砕処理されて排出される月桃繊維８を受ける月桃繊維容器９とで構成される。
【００９４】
該スクリューコンベア部４は、上流側より下流側に従って径が徐々に小さくなり、先端側が絞られたスクリュー１０と、該スクリューに適合して、下流側が絞られた透水性を有するメッシュケーシング１１と、スクリューの駆動モーター１２と、メッシュケーシングの下部に設けられ、月桃搾汁液を受ける液受け１３とで構成されている。
【００９５】
該磨砕処理部７は、図３（１）の磨砕処理部の拡大図に示すように、前記の先端側が絞られたスクリューコンベア部４の先端部に接続されており、２枚の磨砕板２１、２２とが設けられ、各々の磨砕板２１，２２には、相対する面にそれぞれ破砕刃２１ａ、２２ａを有する。
【００９６】
該磨砕板２１は、固定される固定磨砕板であり、磨砕板２２は、スクリュー軸２０と同軸に設けられており、スクリューの回転に対応して回転し、磨砕処理される回転磨砕板である。
【００９７】
２３は、磨砕板２２の位置調整ねじ部であり、２４は月桃繊維の排出口である。
【００９８】
また、磨砕板２１、２２は、図３（２）に示すような、互いの相対する面に破砕刃２１ａ、２２ａが設けられている。
【００９９】
該破砕刃２１ａ、２２ａは、中心から放射状に刃部を有する突出部を設けたものであり、突出部の角部が破砕刃となっている。
【０１００】
また、磨砕板に設ける破砕刃は、図３（３）に示すように、突出部に変えて溝刃３０としても良い。
【０１０１】
溝の側面と上面との角部が破砕刃面となる。
【０１０２】
なお、破砕刃は、効果的に磨砕処理できるものであれば、いずれの破砕刃としても良い。
【０１０３】
また、この磨砕板は、図３（４）に示すように、回転破砕板４２の破砕刃４４側を突出させ、固定磨砕板４１の破砕刃４３側は、凹部形状としても良い。
【０１０４】
このような形状とすると、磨砕面が軸部から外周部に従って傾斜面となるので、脱水処理物が磨砕面の中心部から外周部に沿って、スムースに圧送でき、スクリューの駆動モータの負荷を低減できる。また、２枚の磨砕板の隙間は、中心部をやや広く取り、外周側を狭くすると、中心部で粗く磨砕し、外周部にしたがってさらに細かく磨砕処理することができ、効果的で細かく、品質の安定した月桃繊維をとりだすことができる。
【０１０５】
また、図４は、上記のスクリューの下流側先端部分の概略図である。
【０１０６】
（１）は側面図であり、（２）はＣ−Ｃ矢視図である。
【０１０７】
スクリュー５１の先端の軸部５０に、本体スクリュー５１と同様な曲面を有する短い羽根５２、５３、５４を図４（２）に示すように、バランス良く対照的に配置して取り付けたものである。
【０１０８】
以上のようにして構成された月桃パルプの製造装置は、以下のように動作する。
【０１０９】
１）生月桃の葉と茎を採取して洗浄装置１で洗浄する。
【０１１０】
２）洗浄した月桃はベルとコンベアなどで破砕装置２に送られ、１ｃｍ以下に細かく切断、破砕される。
【０１１１】
３）月桃破砕物は、脱水磨砕処理装置３の上部のホッパー５にベルトコンベアなどで移送され、スクリューコンベア部４に投入される。
【０１１２】
尚、ホッパーからの投入量を脱水磨砕処理後の月桃繊維排出量に対応させて投入量を調整できるようにすると良い。
【０１１３】
４）投入された月桃破砕物は、スクリューコンベア部４で圧搾されながら下流側に圧送され、搾汁液６ａがメッシュケーシング１１を透過して液受け１３に滴下し、搾汁液タンク６内に溜まる。
【０１１４】
５）脱水された破砕物は、スクリューによりさらに圧送されて、磨砕処理部７の固定磨砕板２１と、回転磨砕板２２との間に押圧されて送られ、回転磨砕板２２の回転により、固定磨砕板２１と回転磨砕板２２の破砕刃２１ａと２２ａとで磨り潰されて、磨砕板２１、２２の外周部から月桃繊維８となって排出され、排出口２４から月桃繊維容器内に溜まる。
【０１１５】
ここで得られた月桃繊維は、若干の水分を含んでいるため、熱風などで乾燥処理して月桃パルプとしても良い。
【０１１６】
月桃搾汁液は、抗菌作用を活用した種々の製品の原料となる。
【０１１７】
このようにして、月桃パルプを製造することができるため、薬剤を使用しないとともに、非常に細かな月桃繊維を効果的に取り出すことができるものである。
【０１１８】
また、連続処理ができ、装置への負荷を少なくしてスムーズに動作する製造装置を提供できるものである。
【０１１９】
また、この月桃パルプを従来の木材パルプに混合して紙を製造することにより、月桃の抗菌性を生かし、抗菌性壁紙などの建築用紙材や抗菌性のオムツやペーパータオルなどの衛生紙材など各種の紙製品を製造することができる。
【０１２０】
さらに、薬剤の廃液や、残渣ががまったくでないため、環境汚染などの問題もない、環境にやさしく、森林伐採問題などの環境保護にも寄与できる非木材パルプの製造方法及びその装置を提供できる。
【図面の簡単な説明】
【０１２１】
【図１】本発明による月桃パルプの製造工程を示すフロー図である。
【図２】本発明による月桃パルプの製造装置の概略構成図である。
【図３】本発明による月桃パルプの製造装置の磨砕処理部及び磨砕板を示す図である。
【図４】本発明による月桃パルプの製造装置の補助羽根の概略図である。
【符号の説明】
【０１２２】
１  洗浄装置
２  破砕処理装置
３  脱水磨砕処理装置
４  スクリューコンベア部
５  ホッパー
６  搾汁液タンク
６ａ  搾汁液
７  磨砕処理部
８  月桃繊維
９  月桃繊維容器
１０、５１  スクリュー
１１  メッシュケーシング
１２  駆動モーター
１３  液受け
２０、４５、５０  スクリュー軸
２１  固定磨砕板
２２  回転磨砕板
２１ａ、２２ａ、４３、４４  破砕刃
２３  調整ねじ
２４  排出口
３０  溝刃
４１  凸状磨砕板
４２  凹状磨砕版
５２、５３、５４  補助羽根
【図１】
2006045707.tif 000003
【図２】
2006045707.tif 000004
【図３】
2006045707.tif 000005
【図４】
2006045707.tif 000006